(57)【要約】【課題】火炎の侵入を長時間抑制可能なガラス窓を実現する。【解決手段】ガラス窓１は、三層ガラス１０を構成する３枚のガラス板２０〜２２と、隣り合うガラス板の間に配置されたスペーサ５０、５１と、を有している。スペーサ５０、５１は、断熱性部６０と、ガラス板の上方外周部に対応する位置に設けられ、隣り合うガラス板の一方のガラス板から他方のガラス板に亘って連続的に形成された不燃性部６１とを有している。【選択図】図１
2015229602.tif 000002
【特許請求の範囲】
【請求項１】
複層ガラスを有するガラス窓であって、
複層ガラスを構成する複数枚のガラス板と、
隣り合うガラス板の間に配置されたスペーサと、を有し、
前記スペーサは、断熱性部と、前記ガラス板の上方外周部に対応する位置に設けられ、前記隣り合うガラス板の一方のガラス板から他方のガラス板に亘って連続的に形成された不燃性部と、を有する、ガラス窓。
【請求項２】
前記不燃性部は、前記ガラス板の上方外周部の一部に対応する位置に設けられている、請求項１に記載のガラス窓。
【請求項３】
前記不燃性部は、前記ガラス板の上方外周部の両端から所定距離中央側に離れた二カ所に設けられている、請求項２に記載のガラス窓。
【請求項４】
前記不燃性部は、水平部と、当該水平部に垂直な垂直部とを有する、請求項１〜３のいずれかに記載のガラス窓。
【請求項５】
前記複層ガラスが嵌め込まれた窓枠をさらに有し、
前記複数枚のガラス板のうちの少なくとも１枚のガラス板は、上方に延伸する延伸部を有し、
前記窓枠は、前記ガラス板の延伸部が嵌め込まれ、当該延伸部を把持する凹状の溝部を有する、請求項１〜４のいずれかに記載のガラス窓。
【発明の詳細な説明】
【技術分野】
【０００１】
本発明は、ガラス窓に関する。
【背景技術】
【０００２】
従来より、寒冷地に建築される建物において、高断熱化を実現するため、三層ガラスを備えたガラス窓が採用されている。三層ガラスは、この種のガラス窓は、２枚隣り合うガラス板の間にスペーサを設けて二層の密封空間が形成されたガラスであり、この三層ガラスを窓枠に挟みこむことにより、高い断熱性を実現している（特許文献１参照）。この三層ガラスにおいてスペーサを合成樹脂等の断熱性の高い材料とすることで、より高い断熱性を得ることができる。
【０００３】
上述の通り、合成樹脂材料からなるスペーサを用いた場合、下記のような問題が生じるおそれがある。すなわち、（１）火災時に火炎側（外部側）のガラス板が熱によって割れ、ガラス板に欠落部が形成される。（２）火炎側のスペーサ（特に窓上枠部分のスペーサ）が、ガラス板の欠落部から入り込む火炎によりガラス板を介さず直接的に炙られて溶解する。（３）火炎側のガラス板のうち、窓枠とスペーサで挟持されることで脱落せず窓上枠部分に残存していた残存部が、スペーサの溶解により脱落する。（４）火炎側のスペーサの溶解及び火炎側のガラス板の脱落により、残存する２枚のガラス板が窓枠に対し挟持されなり、窓枠とガラス板との間に隙間が生じる。（５）当該隙間からガラス板隙間から侵入する火炎により建物内部が被害を受ける。
【先行技術文献】
【特許文献】
【０００４】
【特許文献１】実用新案登録第３１２３７５０号公報
【発明の概要】
【発明が解決しようとする課題】
【０００５】
本出願はかかる点に鑑みてなされたものであり、二層及び三層を含む複層ガラスのガラス窓において、火炎の侵入を長時間抑制可能なガラス窓を提供することをその目的とする。
【課題を解決するための手段】
【０００６】
上記目的を達成するための発明の一つとして、複層ガラスを有するガラス窓であって、複層ガラスを構成する複数枚のガラス板と、隣り合うガラス板の間に配置されたスペーサと、を有し、前記スペーサは、断熱性部と、前記ガラス板の上方外周部に対応する位置に設けられ、前記隣り合うガラス板の一方のガラス板から他方のガラス板に亘って連続的に形成された不燃性部とを有する、ガラス窓が提供される。
【０００７】
かかるガラス窓の構成によれば、火炎側（建物外部側）のガラス板が火炎の熱によって割れて欠落部が形成され、当該欠落部から侵入する火炎によってスペーサが直接炙られたとしても、スペーサの断熱性部は溶解あるいは脱落するものの、不燃性部により隣り合うガラス板間の間隔を保持する機能（押圧し突っ張る機能）を失うことがなく、ガラス板が窓枠に窓枠等に隙間なく当接した状態が維持でき、火炎の侵入を抑制できる。また、断熱性部によってスペーサの高い断熱性を維持できる。よって、ガラス窓の高い断熱性を確保しつつ、高い耐火性能も確保できる。
【０００８】
前記不燃性部は、前記ガラス板の上方外周部の一部に対応する位置に設けられていてもよい。
【０００９】
前記不燃性部は、前記ガラス板の上方外周部の両端から所定距離中央側に離れた二カ所に設けられていてもよい。
【００１０】
前記不燃性部は、水平部と、当該水平部に垂直な垂直部を有していてもよい。
【００１１】
上記ガラス窓は、前記複層ガラスが嵌め込まれた窓枠をさらに有し、前記複数枚のガラス板のうちの少なくとも１枚のガラス板は、上方に延伸する延伸部を有し、前記窓枠は、前記ガラス板の延伸部が嵌め込まれ、当該延伸部を把持する凹状の溝部を有していてもよい。
【発明の効果】
【００１２】
火炎の侵入を長時間抑制可能なガラス窓を実現できる。
【図面の簡単な説明】
【００１３】
【図１】ガラス窓のＢ−Ｂ線の縦断面図の説明図である。
【図２】ガラス窓のＡ−Ａ線の断面図の説明図である。
【図３】ガラス窓の外側のガラス板の一部が落下した状態を示す説明図である。
【図４】スペーサの他の構成例を示す説明図である。
【図５】スペーサの他の構成例を示す説明図である。
【図６】中央のガラス板に延伸部を設けた場合のガラス窓の説明図である。
【図７】ガラス窓の外側のガラス板の一部が落下した状態を示す説明図である。
【図８】内側のガラス板に延伸部を設けた場合のガラス窓の説明図である。
【図９】全てのガラス板に延伸部を設けた場合のガラス窓の説明図である。
【発明を実施するための形態】
【００１４】
以下、図面を参照して、本発明の好ましい実施の形態の一例について説明する。なお、図面の上下左右等の位置関係は、特に断らない限り、図面に示す位置関係に基づくものとする。図面の寸法比率は、図示の比率に限定されるものではない。さらに、以下の実施の形態は、本発明を説明するための例示であり、本発明をその実施の形態のみに限定する趣旨ではない。また、本発明は、その要旨を逸脱しない限り、さまざまな変形が可能である。
【００１５】
図１は、本実施の形態に係るガラス窓１の構成の概略を示す縦断面の説明図であり、図２は、図１のＡ−Ａ線のガラス窓１の断面図である。なお、図１は、ガラス窓１の図２のＢ−Ｂ線の断面図である。
【００１６】
図１に示すガラス窓１は、複層ガラスとしての例えば三層ガラス１０と、三層ガラス１０が嵌め込まれた窓枠１１を備えている。
【００１７】
三層ガラス１０は、建物の内側から外側に向けて順に配置された方形の３枚のガラス板２０、２１、２２を備えている。
【００１８】
窓枠１１は、例えば方形の枠状に形成され、その内側に三層ガラス１０が嵌め込まれている。例えば窓枠１１は、三層ガラス１０の４方の外周部に沿って、当該外周部が収容される凹条部３０を有している。凹条部３０は、例えば不燃材料により構成されている。
【００１９】
凹条部３０の内側には、ビード（パッキン）４０が配置され、そのビード４０を介して３枚のガラス板２０〜２２が配置されている。隣り合うガラス板２０〜２２の外周部の間には、例えば枠状のスペーサ５０、５１及びシール材５２、５３が配置されている。シール材５２、５３は、例えば弾力性のあるゴムや合成樹脂により構成されている。ガラス板２０は、スペーサ５０と凹条部３０の内側の側壁により、凹条部３０との間に隙間が形成されることなく挟持され、ガラス板２１は、両側のスペーサ５０、５１により挟持され、ガラス板２２は、スペーサ５１と凹条部３０の外側の側壁により、凹条部３０との間に隙間が形成されることなく挟持されている。
【００２０】
スペーサ５０は、断熱性部６０と、隣り合う一方のガラス板２０の表面から他方のガラス板２１の表面に亘って水平方向に延在する不燃性部６１を有している。
【００２１】
不燃性部６１は、図２に示すようにガラス板２０、２１の上方外周部の一部に対応する複数個所に設けられている。例えば不燃性部６１は、ガラス板２１の上方外周部の両端（図２のシール材５２の両端）から所定距離中央側に例えば５ｃｍ程度離れた二か所に設けられている。図１に示すように不燃性部６１は、例えば細長の直方体状に形成され、スペーサ５０の上下方向の中央に直線状に配置されている。この不燃性部６１は、両側のガラス板２０、２１に当接されている。不燃性部６１は、例えば金属等の不燃材料により構成されている。
【００２２】
断熱性部６０は、図１及び図２に示すようにスペーサ５０の例えば不燃性部６１以外の部分を構成し、例えば不燃性部６１よりも断熱性が高い比較的硬質の合成樹脂により構成されている。また、スペーサ５０とガラス板２０、２１との間には図示しないシール材が介装されている。
【００２３】
スペーサ５１は、スペーサ５０と同様の構成を有し、断熱性部６０と、隣り合う一方のガラス板２１の表面から他方のガラス板２２の表面に亘って水平方向に延在する不燃性部６１を有している。
【００２４】
以上のように構成されたガラス窓１によれば、例えば隣家の火災時に火炎によりガラス窓１が建物の外側から炙られた場合、外側のガラス板２２の一部が火炎の熱によって割れると、図３に示すように、ガラス板２２の欠落部から侵入する火炎によりスペーサ５１の断熱性部６０がシール材５３とともに溶解あるいは脱落する。しかし、このとき、スペーサ５１の不燃性部６１が残り、ガラス板２２の上部の残存部とガラス板２１との間隔を保持する機能（押圧し突っ張る機能）を失うことがないので、ガラス板２１の残存部が落下せず、ガラス板２１、２０が窓枠１１（凹条部３０）に隙間なく当接した状態が維持される。この結果、火炎がガラス板２１、２０を超えて建物の内側に侵入することを抑制できる。よって、火炎の侵入を、従来に比べて長時間抑制できる。
【００２５】
また、例えば建物内部の失火により内側のガラス板２０が火炎によって炙られ、その一部が火炎の熱によって割れた場合であっても、スペーサ５０の不燃性部６１が残るため、同様の作用により、火炎の漏出による延焼を抑制できる。
【００２６】
また、スペーサ５０、５１は、断熱性部６０を有するので、熱がスペーサ５０、５１を通じて伝達することが抑制され、三層ガラス１０の高い断熱性を維持できる。
【００２７】
また、不燃性部６１は、ガラス板の上方外周部の一部に対応する位置にのみ設けられているので、スペーサ５０、５１における断熱性部６０の占める割合が多くなり、三層ガラス１０の断熱性をより高めることができる。また、不燃性部６１は、ガラス板の上方外周部の両端から所定距離中央側に離れた二か所に設けられているので、スペーサ５０、５１の断熱性部６０が焼失した場合に、数少ない不燃性部６１で効果的にガラス板２０〜２２の落下を防止できる。
【００２８】
上記実施の形態で記載したスペーサ５０、５１の不燃性部６１は他の形状を有していてもよい。例えば図４に示すように断面がコの字状に形成されていてもよい。すなわち、不燃性部６１は、一方のガラス板に接する第１の垂直部９０と、他方のガラス板に接する第２の垂直部９１と、それらの垂直部９０、９１を接続する水平部９２を有していてもよい。水平部９２は、断熱性部６０の下側に位置している。かかる場合、不燃性部６１が座屈しにくく、強度が上がるので、スペーサ５０、５１の両側のガラス板を確実に保持できる。なお、図５に示すように水平部９２が断熱性部６０の上側に位置していてもよい。
【００２９】
上記実施の形態において、３枚のガラス板のうちの少なくとも１枚のガラス板は、上方に延伸する延伸部を有し、窓枠１１は、前記ガラス板の延伸部が嵌め込まれ、当該延伸部を把持する凹状の溝部を有していてもよい。例えば図６に示すように例えば中央のガラス板２１は、他の両側のガラス板２０、２２よりも上方に延伸（突出）した延伸部１００を備えている。また、凹条部３０の中央には、ガラス板２１の延伸部１００が嵌め込まれる凹状の溝部１１０が形成されている。溝部１１０は、例えば不燃材料により構成されている。溝部１１０は、ガラス板２１の上辺に沿って水平方向に直線状に形成されている。ガラス板２１の延伸部１００は、凹条部３０の溝部１１０に嵌め込まれ、当該溝部１１０によって両側から把持されている。
【００３０】
かかる場合、例えば図７に示すように隣家の火災時に外側のガラス板２２の一部が火炎の熱で割れ、ガラス板２２の欠落部から侵入した火炎によりスペーサ５１の断熱性部６０がシール材５３とともに溶解し脱落し、更には不燃性部６１が何らかの要因（例えば衝撃等）により脱落した場合であっても、中央のガラス板２１の延伸部１００が、窓枠１１の溝部１１０に嵌め込まれ、把持されているため、延伸部１００により火炎が建物の内側に侵入することを阻止できる。また、仮に火炎によりガラス板２２に続きガラス板２１が割れたとしても、ガラス板２１の延伸部１００が溝部１１０で把持されているので、ガラス板２１の延伸部１００近傍部分が脱落せず溝部１１０から垂下した状態で残存し、スペーサ５０がガラス板２０を凹条部３０の内側の側壁方向に押圧し続ける。これにより、ガラス板２０と凹条部３０との間には隙間が形成されず火炎の侵入を阻止できる。よって、火炎の侵入を、従来に比べて長時間抑制できる。
【００３１】
上記実施の形態において、三層ガラス１０の中央のガラス板２１だけ延伸部１００を有し、窓枠１１がそれに対応する溝部１１０を有していたが、他のガラス板も延伸部を有し、窓枠１１にそれに対応する溝部を形成するようにしてもよい。例えば図８に示すように建物の外側のガラス板２２にも延伸部１００を形成し、窓枠１１にその延伸部１００を把持する溝部１１０を形成してもよい。
【００３２】
さらに、図９に示すように建物の内側のガラス板２０にも延伸部１００を形成し、窓枠１１にその延伸部１００を把持する溝部１１０を形成してもよい。すなわち、全てのガラス板２０〜２２に延伸部１００を形成し、窓枠１１にそれに対応する溝部１１０を形成してもよい。
【００３３】
なお、上記実施の形態で示した図８において、外側のガラス板２２に代えて内側のガラス板２０に延伸部１００を形成し、窓枠１１にそれに対応する溝部１１０を形成してもよい。また、中央のガラス板２１に代えて、ガラス板２０、２１の少なくともいずれかにのみ延伸部１００を形成し、窓枠１１にそれに対応する溝部１１０を形成してもよい。
【００３４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３５】
例えば以上の実施の形態で記載したスペーサ５０、５１の不燃性部６１の形状や設置位置は、それに限られない。また、不燃性部６１は、全てのスペーサ５０、５１に設ける必要はなく、一部にスペーサにだけ設けてもよい。さらに、上記実施の形態は、三層ガラス１０の場合を例にとって説明したが、二層や四層以上の複層ガラスにも本発明は適用できる。また、ガラス板の延伸部１００の形状や長さはこれに限られない。また、溝部１１０は、延伸部１００を直接把持していてもよいし、間接的に把持していてもよい。
【産業上の利用可能性】
【００３６】
本発明は、火炎の侵入を長時間抑制可能なガラス窓を実現する際に有用である。
【符号の説明】
【００３７】
１  ガラス窓
１０  三層ガラス
１１  窓枠
２０〜２２  ガラス板
３０  凹条部
５０、５１  スペーサ
５２、５３  シール材
６０  断熱性部
６１  不燃性部
１００  延伸部
１１０  溝部
【図１】
2015229602.tif 000003
【図２】
2015229602.tif 000004
【図３】
2015229602.tif 000005
【図４】
2015229602.tif 000006
【図５】
2015229602.tif 000007
【図６】
2015229602.tif 000008
【図７】
2015229602.tif 000009
【図８】
2015229602.tif 000010
【図９】
2015229602.tif 000011